(57)【特許請求の範囲】
【請求項１】
情報を表示する操作者用表示部と、
情報を入力するための入力部と、
前記入力部の操作によって入力された商品コードをもとに商品情報を取得する取得手段と、
前記入力部の操作によってメモ情報の入力を宣言する手段と、
前記入力部の操作によってメモ情報を入力する手段と、
取得した商品情報をもとに、商品名、単価、商品の数量、数量と単価とに基づく金額、値引額、一取引の合計金額、税引き額及び消費税額の中の少なくとも一つを前記操作者用表示部の第１の領域に表示させる手段と、
メモ情報を表示するためのメモ画面を前記操作者用表示部の前記第１の領域とは異なる領域であり、前記メモ画面が複数表示可能な第２の領域に表示させる手段と、
前記入力された個々のメモ情報を個別に前記メモ画面上に表示させる手段と、
操作者を特定できる操作者情報を操作者固有の識別情報別に記憶するテーブルに予め記憶された操作者情報の中から所望の操作者情報を選択指定する手段と、
前記選択指定された操作者情報に対応する識別情報と前記入力されたメモ情報とを関連付けする手段と、
操作者に識別情報の入力を要求する手段と、
前記入力された識別情報と前記関連付けされたメモ情報を前記メモ画面上に表示させる手段と、
ジャーナル検索画面をその一つとする所定の画面が前記操作者用表示部に表示される場合に、前記メモ画面を一時的に非表示にする手段と、
を備える商品販売データ処理装置。
【請求項２】
前記入力部は、前記操作者用表示部上にタッチパネルを備え、
前記メモ情報を入力する手段は、前記メモ画面の領域の前記タッチパネルの手書き入力操作によってメモ情報を入力する、
請求項１記載の商品販売データ処理装置。
【請求項３】
前記メモ情報の入力の宣言に応じて、前記メモ画面を拡大表示させる、請求項２記載の商品販売データ装置。
【請求項４】
任意の時刻と前記入力されたメモ情報とを関連付けする手段と、
前記時刻の到来を条件に、当該時刻と関連付けされたメモ情報を前記メモ画面上に表示させる手段と、
を備える請求項１ないし３のいずれか一項に記載の商品販売データ装置。
【請求項５】
前記選択指定する手段は、前記操作者情報の中から所望の操作者情報を個別に選択指定する、又は前記操作者情報の全てを選択指定する、
請求項１ないし４のいずれか一項に記載の商品販売データ装置。
【発明の詳細な説明】
【技術分野】
【０００１】
本発明は、例えば、ＰＯＳ（Ｐｏｉｎｔ  ｏｆ  Ｓａｌｅｓ：販売時点管理）端末等の商品販売データ処理装置に関する。
【背景技術】
【０００２】
一般的に、スーパーマーケット等の店舗では、複数の操作者（店員）が交代で商品販売データ処理装置を使用する。このとき、同一の商品販売データ処理装置を使用する店員同士で申し送り等をするような場合は、宛名と共にメモを書き込んだ付箋紙を、店員の目に触れられ易い商品販売データ処理装置の操作者用表示部の周囲のフレーム部等に貼り付けることで、特定の店員に対して情報伝達を図ることが多い。
【０００３】
【特許文献１】特開平１１−１４４１５３号公報
【発明の開示】
【発明が解決しようとする課題】
【０００４】
ところが、付箋紙は剥がれ易いため貼り付けた付箋紙がフレーム部から剥がれ落ちてしまって情報伝達が確実に行えず、店員同士の情報伝達ミスとなってトラブルが発生してしまうような場合がある。
【０００５】
ここで、特許文献１には、電子ジャーナル中にメモ情報（例えば、データ取消理由等）を入力して残すことができる技術が開示されている。しかし、電子ジャーナル中にメモ情報を残すことから入力したメモ情報は店員の目に触れられ易いものではなく、また、店員を特定して情報伝達を行い得るものでもない。
【０００６】
本発明の目的は、同一の商品販売データ処理装置を使用する店員同士で任意の情報を確実に伝達できるようにすることである。
【課題を解決するための手段】
【０００７】
本発明の商品販売データ処理装置は、情報を表示する操作者用表示部と、情報を入力するための入力部と、前記入力部の操作によって入力された商品コードをもとに商品情報を取得する取得手段と、前記入力部の操作によってメモ情報の入力を宣言する手段と、前記入力部の操作によってメモ情報を入力する手段と、取得した商品情報をもとに、商品名、単価、商品の数量、数量と単価とに基づく金額、値引額、一取引の合計金額、税引き額及び消費税額の中の少なくとも一つを前記操作者用表示部の第１の領域に表示させる手段と、メモ情報を表示するためのメモ画面を前記操作者用表示部の前記第１の領域とは異なる領域であり、前記メモ画面が複数表示可能な第２の領域に表示させる手段と、前記入力された個々のメモ情報を個別に前記メモ画面上に表示させる手段と、操作者を特定できる操作者情報を操作者固有の識別情報別に記憶するテーブルに予め記憶された操作者情報の中から所望の操作者情報を選択指定する手段と、前記選択指定された操作者情報に対応する識別情報と前記入力されたメモ情報とを関連付けする手段と、操作者に識別情報の入力を要求する手段と、前記入力された識別情報と前記関連付けされたメモ情報を前記メモ画面上に表示させる手段と、ジャーナル検索画面をその一つとする所定の画面が前記操作者用表示部に表示される場合に、前記メモ画面を一時的に非表示にする手段と、を備える。
【発明の効果】
【０００８】
本発明によれば、操作者（店員）を選択指定してメモ情報と関連付けすることができ、そして、その店員が商品販売データ処理装置を使用したときに、関連付けされたメモ情報を操作者用表示部のメモ画面上に表示させることができるので、同一の商品販売データ処理装置を使用する店員同士で任意の情報を確実に伝達することができる。
【発明を実施するための最良の形態】
【０００９】
本発明の実施の一形態を図１ないし図１１に基づいて説明する。本実施の形態の商品販売データ処理装置は、スーパーマーケット等の店舗で使用されるＰＯＳ端末への適用例である。
【００１０】
図１は、本実施の形態のＰＯＳ端末１０１を示す外観斜視図である。ドロワ１０２の上に載置されたＰＯＳ端末１０１には、上面右側にキーボード１０３と操作者用表示部としての表示部１０４とが配列され、上面左側にはレシートジャーナルプリンタ１０６が配列されている。また、上面後方には、客用表示部１０７が立設されている。さらに、ＰＯＳ端末１０１には、商品に付された商品コード（図示しない）を光学的に読み取るためのバーコードスキャナ１０８も接続されている。ここで、キーボード１０３には、詳細は図示しないが、各種のキーが配列されており、その中には、数字を入力するための置数キー、締めを宣言するための預／現計キー等が含まれている。そして、表示部１０４上には入力部としてのタッチパネル１０５が取り付けられている。タッチパネル１０５及びキーボード１０３は入力部として機能し、ＰＯＳ端末１０１での各種情報の入力は、タッチパネル１０５及びキーボード１０３での操作によって実行される。
【００１１】
図２は、ＰＯＳ端末１０１に備えられる各部の電気的接続を示すブロック図である。ＰＯＳ端末１０１は、マイクロコンピュータ（以下、マイコンと称する）１１１を備えており、このマイコン１１１によってＰＯＳ端末１０１が備える各部を駆動制御する。マイコン１１１は、各種演算処理を実行し各部を集中的に制御するＣＰＵ（Ｃｅｎｔｒａｌ  Ｐｒｏｃｅｓｓｉｎｇ  Ｕｎｉｔ）１５１に、バスライン１５５を介して、固定データを固定的に記憶保存するＲＯＭ（Ｒｅａｄ  Ｏｎｌｙ  Ｍｅｍｏｒｙ）１５２と、可変データを書き換え自在に記憶してワークエリアとして使用されるＲＡＭ（Ｒａｎｄｏｍ  Ａｃｃｅｓｓ  Ｍｅｍｏｒｙ）１５３とが接続されて構成されている。なお、ＲＡＭ１５３は、バッテリ（図示しない）によってバックアップされている。
【００１２】
そして、マイコン１１１には、前述したドロワ１０２、キーボード１０３、表示部１０４、タッチパネル１０５、レシートジャーナルプリンタ１０６、客用表示部１０７、バーコードスキャナ１０８がいずれも各種の入出力回路（全て図示せず）とバスライン１５５とを介して接続されており、マイコン１１１が各部を制御する。また、マイコン１１１には、通信インターフェース１５６もバスライン１５５を介して接続されている。通信インターフェース１５６は、店舗のバックヤード等に設置された上位装置（図示しない）と接続されて、ＰＯＳ端末１０１は、この上位装置と通信可能になっている。
【００１３】
さらに、マイコン１１１には、ＨＤＤ（Ｈａｒｄ  Ｄｉｓｋ  Ｄｒｉｖｅ）等の記憶装置１５４がバスライン１５５を介して接続されている。記憶装置１５４には、マイコン１１１を動作させるコンピュータプログラム、商品コード毎に商品名や単価等の商品データを記憶する商品データファイル（図示しない）と共に、ＰＯＳ端末１０１にサインオン可能な操作者（店員）の責任者コードを予め記憶するテーブルとしての責任者テーブルＴ、タッチパネル１０５の操作により入力されるメモ情報を記憶するメモ情報ファイルＦ（図９参照）等を格納している。記憶装置１５４に格納されたコンピュータプログラムは、ＰＯＳ端末１０１の起動時、商品データファイル等と共にその全部又は一部がＲＡＭ１５３にコピーされ、これによってマイコン１１１による各部の駆動制御が可能な状態となる。
【００１４】
図３は、責任者テーブルＴを示す模式図である。ＰＯＳ端末１０１を使用する店員には、店員毎に固有の識別情報として、例えば４桁のコード情報である責任者コードが付与されており、責任者テーブルＴは、図３に示すように、この責任者コード別に、店員を可視的に特定できる操作者情報として、例えばテキスト情報である店員の氏名を記憶するものである。また、責任者テーブルＴは、店員の種別に応じて店員毎に付与された２桁のコード情報である権限コードをも記憶する。ここで、権限コードは、サインオンするＰＯＳ端末１０１に対する操作権限のレベルを規定するものである。例えば、権限コードが０１であれば、ＰＯＳ端末１０１の各種設定変更の操作等が可能となるが、権限コードが０２であれば、商品販売データ処理のみ行うことができる。
【００１５】
そして、ＰＯＳ端末１０１は、責任者テーブルＴに予め記憶された責任者コードによってサインオンされた場合のみ、商品販売データ処理の実行が可能となる。つまり、ＰＯＳ端末１０１が、電源投入や休止状態からの立ち上げ等によって稼動状態になると、表示部１０４には、サインオンに際して、責任者コードの入力を要求する責任者コード入力画面（図示しない）が表示される。ここで、キーボード１０３等から責任者コードの入力を行い、入力した責任者コードが責任者テーブルＴに記録されている場合のみ、その責任者コードでサインオンが実行されて、ＰＯＳ端末１０１は商品販売データ処理の実行が可能となる。なお、ＰＯＳ端末１０１を使用する店員が交代する場合は、交代時に一度ＰＯＳ端末１０１を休止状態に移行させ、次に使用する店員が再度サインオンするようにする。
【００１６】
図４は、商品販売データ処理に際して表示部１０４に表示される画面表示を示す模式図である。商品販売データ処理が実行される場合、ＰＯＳ端末１０１の表示部１０４には、図４に示すような商品販売データ処理画面２０１が表示される。商品販売データ処理画面２０１は、現在日時を年月日エリア２０１ａに表示し、サインオンした店員の氏名を担当氏名エリア２０１ｂに表示する。
【００１７】
商品販売データ処理は、バーコードスキャナ１０８等よって読み取られた商品コードに基づいて商品データファイルから対応する商品データを呼び出して実行される。呼び出した商品データに含まれる商品名及び単価は、商品データエリア２０１ｃに呼び出し順に表示される。なお、商品データエリア２０１ｃには、商品の数量、数量と単価とに基づく金額、及び、値引額についても表示される。また、商品販売データ処理画面２０１は、金額エリア２０１ｄに、一取引の合計金額を税抜き額及び消費税額と共に商品データの呼び出しに従い逐次表示内容を更新して表示する。
【００１８】
ここで、呼び出した商品データは、ＲＡＭ１５３（図２参照）のワークエリアに一時記憶される。そして、一取引において全ての商品コードの入力が終了したならば、締め操作としてキーボード１０３の置数キーを押下して預り金額を入力し、預／現計キーを押下して一取引が確定する。そして、金額エリア２０１ｄには、預かり金額及び釣り金額が表示される。一取引の確定後には、ＲＡＭ１５３のワークエリアに一時記憶したデータに基づいて算出した売上合計金額等の取引情報を保存し、取引情報を印字したレシートを生成して発行する。発行したレシートを顧客に渡し、一取引を終了する。
【００１９】
ところで、図４中、表示部１０４の右縁部には、商品販売データ処理画面２０１の右側部に隙間なく配列された５個のメモ画面３０１が表示されている。詳細は後述するが、各々のメモ画面３０１上には、タッチパネル１０５への手書き入力によって入力されるメモ情報が表示される。メモ画面３０１は、商品販売データ処理画面２０１が表示されて商品販売データ処理の実行中は表示部１０４に常時表示されているが、キーボード１０３による所定の操作がされた場合や、ジャーナル検索画面（図示しない）等の所定の画面が表示部１０４に表示された場合等においては、表示部１０４に表示されているメモ画面３０１は表示部１０４中から一時的に退避する。ここに、所定のイベントの発生を条件に、メモ画面を一時的に非表示にする手段の機能が実行される。こうして表示部１０４の画面全体を広く使用することができる。なお、表示部１０４に表示されるメモ画面３０１の個数は５個に限られることはなく、また、メモ画面３０１の表示部１０４中の表示位置も表示部１０４の右縁部に限られない。
【００２０】
以下、メモ画面３０１へのメモ情報の入力、入力されたメモ情報の表示、店員及び時刻の選択指定等について、図５ないし図８に基づいて説明する。なお、図６ないし図８おいては、図４で説明した部分と同じ部分は同じ符号で示し、説明も省略する。
【００２１】
図５は、ＰＯＳ端末１０１のマイコン１１１が実行する処理の流れを示すフローチャートである。まず、マイコン１１１は、表示部１０４に表示されている５個のメモ画面３０１の中の一つのメモ画面３０１が表示された領域のタッチパネル１０５のタッチ操作によって（ステップＳ１）、タッチ操作されたメモ画面３０１へのメモ情報の入力を宣言し（ステップＳ２）、この入力の宣言に応じて、タッチ操作されたメモ画面３０１を表示部１０４の中央部位に移動させて拡大表示させる（ステップＳ３）。そして、マイコン１１１は、メモ情報の入力を許容して、拡大表示されているメモ画面３０１の領域のタッチパネル１０５への手書き入力操作によってメモ情報を入力する（ステップＳ４）。手書き入力は、例えば、タッチパネル１０５の表面を傷つけないように先端が丸く加工されたタッチペン（図示しない）により行われる。このように、メモ情報の入力が手書き入力によって行われることで、キーボード入力を苦手とする店員にとってもメモ情報の入力が容易となり、さらに、メモ画面３０１が拡大表示されることで、小さいスペースに手書き入力する必要がなくなり、メモ情報を入力するに際しての作業性を向上させることができる。
【００２２】
図６は、メモ画面３０１が拡大表示された状態の表示部１０４の画面表示を示す模式図である。ここで、タッチ操作による入力の宣言に応じて拡大表示されて、メモ情報が入力されたメモ画面３０１を特にメモ画面３０１ａと表記する。図６に示すように、拡大表示されたメモ画面３０１ａには、手書き入力としてタッチペンの先端でタッチパネル１０５をなぞった軌跡が、メモ情報として表示されている。このとき、図６中、メモ画面３０１ａの底部には、メモ情報の入力後にタッチ操作されるボタンが表示されている。ここで、ボタンとしては、手書き入力されたメモ情報を確定するための確定ボタン３０２ａ、手書き入力により表示されたメモ情報を消去するためのクリアボタン３０２ｂ、メモ画面３０１ａへのメモ情報入力を取りやめるためのキャンセルボタン３０２ｃ、及び、メモ情報を入力したメモ画面３０１ａに各種選択指定をするための選択指定ボタン３０２ｄが表示されている。
【００２３】
図５のフローチャートに戻る。メモ情報入力（ステップＳ４）の後、確定ボタン３０２ａがタッチ操作されたならば（ステップＳ５のＹ）、マイコン１１１は、入力されたメモ情報を確定して（ステップＳ６）、表示部１０４の中央部位に拡大表示されたメモ画面３０１ａを元の位置大きさに復元して表示させる（ステップＳ７）。一方、確定ボタン３０２ａではなく、（ステップＳ５のＮ）、選択指定ボタン３０２ｄがタッチ操作されると（ステップＳ８のＹ）、マイコン１１１は、メモ情報が入力されたメモ画面３０１ａに対して後述する選択指定を行うための選択指定画面４０１（図８参照）を表示部１０４に表示させる（ステップＳ９）。なお、選択指定ボタン３０２ｄでもなく（ステップＳ８のＮ）、キャンセルボタン３０２ｃがタッチ操作された場合は（ステップＳ１７のＹ）、メモ情報の入力がされないでメモ画面３０１ａの位置大きさが復元して表示される（ステップＳ１８）。
【００２４】
図７は、選択指定画面４０１が表示された状態の表示部の画面表示を示す模式図である。選択指定画面４０１は、店員や時刻を選択指定して、入力されたメモ情報と関連付けするためのものである。選択指定画面４０１は、責任者テーブルＴに記憶されている店員の氏名を店員氏名エリア４０１ａに表示し、任意の時刻を時刻エリア４０１ｂに表示する。ここで、選択指定は、選択指定画面４０１に表示されている店員ボタン４０１ｇ及び時刻ボタン４０１ｈをそれぞれタッチ操作することで可能となる。つまり、店員ボタン４０１ｇ及び時刻ボタン４０１ｈがタッチ操作されると、選択指定画面４０１に表示されているスクロールボタン４０１ｅ、４０１ｆがタッチ操作可能となる。これらスクロールボタン４０１ｅ、４０１ｆをタッチ操作すると、店員氏名エリア４０１ａ及び時刻エリア４０１ｂには、それぞれに店員の氏名及び任意の時刻が順次表示されるので、所望の店員及び時刻を選択指定することができる。なお、店員氏名エリア４０１ａには、個々の店員の氏名だけではなく、「全員」という表記も表示され、これを選択指定することで、責任者テーブルＴに記憶された店員全員を選択指定することができる。また、選択指定画面４０１は、確定ボタン４０１ｃ及びキャンセルボタン４０１ｄを表示している。確定ボタン４０１ｃは選択指定した内容を確定する場合にタッチ操作するものであり、キャンセルボタン４０１ｄは選択指定を行わない場合にタッチ操作するものである。
【００２５】
図５のフローチャートに戻る。図７に示した選択指定画面４０１の店員ボタン４０１ｇがタッチ操作されたならば（ステップＳ１０のＹ）、マイコン１１１は、スクロールボタン４０１ｅのタッチ操作により店員の氏名を選択指定する（ステップＳ１１）。ここに、操作者情報（店員の氏名）を識別情報（責任者コード）別に記憶するテーブル（責任者テーブル）に予め記憶された操作者情報（店員の氏名）の中からから所望の操作者情報（店員の氏名）を選択指定する手段の機能が実行される。そして、時刻ボタン４０１ｈがタッチ操作されたならば（ステップＳ１２のＹ）、スクロールボタン４０１ｆのタッチ操作により時刻を選択指定する（ステップＳ１３）。なお、このとき店員又は時刻どちらか一方のみの選択指定であってもよい（ステップＳ１０のＮ、１２のＮ）。その場合、店員の選択指定のみであれば、後述するように、その店員がＰＯＳ端末１０１にサインオンしてすぐにメモ情報が表示されることになる。また、時刻の選択指定のみであれば、サインオンに関係なく指定時刻の到来によってメモ情報が表示されることになり、ＰＯＳ端末１０１を使用している店員に依存せずに、申し送り事項等のメモ情報をその指定時刻にＰＯＳ端末１０１を使用している店員に対して伝達することができる。これにより、ＰＯＳ端末１０１を使用する店員のシフトがわからない場合等にもメモ情報を伝達することができる。
【００２６】
選択指定の後、確定ボタン４０１ｃがタッチ操作されると（ステップＳ１４のＹ）、マイコン１１１は、入力されたメモ情報及び選択指定を確定する（ステップＳ１５）。このとき、ステップＳ１５では、選択指定された店員の氏名に対応する責任者コードを責任者テーブルＴから取得し、入力されたメモ情報を取得した責任者コード及び選択指定された時刻とともにメモ情報ファイルＦ（図９参照）に記憶させる。ここに、選択指定された操作者情報（店員の氏名）に対応する識別情報（責任者コード）と入力されたメモ情報とを関連付けする手段の機能と、任意の時刻と入力されたメモ情報とを関連付けする手段の機能とが実行される。そして、マイコン１１１は、メモ画面３０１ａを元の位置大きさに復元して表示させる（ステップＳ１６）。なお、確定ボタン４０１ｃがタッチ操作されずに（ステップＳ１４のＮ）、キャンセルボタン４０１ｄがタッチ操作された場合は（ステップＳ１９のＹ）、選択指定画面４０１の表示を取り消して、メモ画面３０１ａに表示されたボタンのタッチ操作を再度待機する（ステップＳ５、８、１７）。
【００２７】
図８は、メモ情報及び選択指定が確定されたメモ画面３０１ａが位置大きさを復元させて表示された状態の表示部１０４を示す模式図である。図８に示すように、位置大きさが復元したメモ画面３０１ａには、手書き入力されたメモ情報も縮小されて表示されており、さらに、メモ画面３０１ａには、その底部に位置させて選択指定内容エリア３０３が設けられて、選択指定された店員の氏名及び時刻についても併せて表示されている。これにより選択指定を行った店員は、その選択指定内容についての確認をすることができる。なお、図５のフローチャートのステップＳ５で確定ボタン３０２ａがタッチ操作された場合は、選択指定がされなかったことになり選択指定内容エリア３０３は表示されない。
【００２８】
図９は、メモ情報ファイルＦを示す模式図である。図９に示すように、記憶装置１５４に格納されているメモ情報ファイルＦには、手書き入力されたメモ情報が、選択指定された店員に基づく責任者コード及び時刻と関連付けて記憶されている。このようにメモ情報ファイルＦに記憶されたメモ情報は、関連付けされた責任者コードの店員がＰＯＳ端末１０１にサインオンした場合、表示部１０４に表示されるメモ画面３０１上に表示されることになる。
【００２９】
図１０は、サインオンに際してＰＯＳ端末１０１のマイコン１１１が実行する処理の流れを示すフローチャートである。サインオンに際して、まず、マイコン１１１は、責任者コード入力画面を表示部１０４に表示させることで店員に対して責任者コードの入力を要求して（ステップＳ２１）、責任者コードの入力を待機する（ステップＳ２２）。そして、責任者コードの入力がされたならば（ステップＳ２２のＹ）、入力された責任者コードでサインオンして、ＰＯＳ端末１０１は商品販売データ処理の実行が可能な状態となるが、ここで、マイコン１１１は、入力された責任者コードに基づきメモ情報ファイルＦを検索する（ステップＳ２３）。入力された責任者コードと関連付けされたメモ情報がメモ情報ファイルＦに記憶されている場合は（ステップＳ２４のＹ）、このメモ情報を取得して、時刻が選択指定されていない場合は（ステップＳ２５のＮ）サインオン終了後直ちにメモ画面３０１上に表示させる（ステップＳ２７）。一方で、時刻が選択指定されている場合は（ステップＳ２５のＹ）、指定時刻の到来を条件に（ステップＳ２６のＹ）、表示部１０４に表示されたメモ画面３０１に表示させる（ステップＳ２７）。
【００３０】
図１１は、メモ情報ファイルＦに記憶されたメモ情報がメモ画面３０１上に表示された状態の表示部１０４を示す模式図である。ここで、メモ画面３０１中、メモ情報が表示されているメモ画面３０１をメモ画面３０１ｂと表記する。なお、図４等で説明した部分と同じ部分は同じ符号で示し、説明も省略する。図１１に示すように、サインオンするとＰＯＳ端末１０１は商品販売データ処理が実行可能となるため、表示部１０４には商品販売データ処理画面２０１も表示されている。このとき、メモ画面３０１ｂには、入力店員エリア３０４が設けられてメモ情報を入力して選択指定を行った店員の氏名が表示されており、ＰＯＳ端末１０１にサインオンした店員は、どの店員からの伝達であるかを知ることができる。
【００３１】
以上説明したように本実施の形態によれば、ＰＯＳ端末１０１にサインオン可能な店員を選択指定して、入力したメモ情報と関連付けすることができ、そして、その店員が自分の責任者コードでＰＯＳ端末１０１にサインオンすると、関連付けされたメモ情報が店員の目に触れられ易いメモ画面３０１上に表示されるので、ＰＯＳ端末１０１を使用する店員同士で確実に情報伝達を行うことができる。また、特定の店員だけに対してメモ情報を伝達することができので、不特定多数の店員に見られてしまうと不都合なメモ情報についても伝達することができる。
【００３２】
なお、本実施の形態では、識別情報として責任者コードを例に示したが、これに限ることはなく、例えば、責任者コードとは異なる店員各々に固有のコードであってもよい。
【００３３】
また、サインオン時に識別情報の入力を要求するのではなく、ＰＯＳ端末１０１の使用中に、表示部１０４に識別情報の入力を要求する画面（図示しない）を表示させて、入力された識別情報と関連付けされたメモ情報がある場合には、そのメモ情報をメモ画面３０１上に表示させるようにしてもよい。
【図面の簡単な説明】
【００３４】
【図１】本実施の形態のＰＯＳ端末を示す外観斜視図である。
【図２】ＰＯＳ端末に備えられる各部の電気的接続を示すブロック図である。
【図３】責任者テーブルを示す模式図である。
【図４】商品販売データ処理に際して表示部に表示される画面表示を示す模式図である。
【図５】ＰＯＳ端末のマイコンが実行する処理の流れを示すフローチャートである。
【図６】メモ画面が拡大表示された状態の表示部の画面表示を示す模式図である。
【図７】選択指定画面が表示された状態の表示部の画面表示を示す模式図である。
【図８】メモ情報及び選択指定が確定されたメモ画面が位置大きさを復元させて表示された状態の表示部を示す模式図である。
【図９】メモ情報ファイルを示す模式図である。
【図１０】サインオンに際してＰＯＳ端末のマイコンが実行する処理の流れを示すフローチャートである。
【図１１】責任者コードと関連付けされたメモ情報がメモ画面上に表示された状態の表示部の画面表示を示す模式図である。
【符号の説明】
【００３５】
１０１…商品販売データ処理装置（ＰＯＳ端末），１０４…操作者用表示部（表示部），１０５…入力部、タッチパネル，３０１、３０１ａ、３０１ｂ…メモ画面，Ｔ…テーブル（責任者テーブル）
【図１】
0004684875.tif 000002
【図２】
0004684875.tif 000003
【図３】
0004684875.tif 000004
【図４】
0004684875.tif 000005
【図５】
0004684875.tif 000006
【図６】
0004684875.tif 000007
【図７】
0004684875.tif 000008
【図８】
0004684875.tif 000009
【図９】
0004684875.tif 000010
【図１０】
0004684875.tif 000011
【図１１】
0004684875.tif 000012